(57)【要約】【課題】複数の放電線の振動の周波数かかわらず、複数の放電線に対する電圧の印加を同時に開始する場合と比較して、電圧を印加した後、放電線の振動が安定するまでの時間を短縮することができる帯電装置を提供する。【解決手段】帯電装置３００は、感光体ドラム２０２を放電により帯電する第１放電線３１０と、感光体ドラム２０２を放電により帯電し、第１放電線３１０よりも周波数が高い第２放電線３１２と、を有し、第１放電線３１０への電圧の印加を開始した後に、前記第２放電線３１２への電圧の印加を開始する。【選択図】図５
2020060720.tif 000002
【特許請求の範囲】
【請求項１】
帯電対象を放電により帯電する第１の放電線と、
帯電対象を放電により帯電し、前記第１の放電線よりも周波数が高い第２の放電線と、
を有し、
前記第１の放電線への電圧の印加を開始した後に、前記第２の放電線への電圧の印加を開始する帯電装置。
【請求項２】
前記第２の放電線に加えられる張力は、前記第１の放電線に加えられる張力よりも大きい請求項１記載の帯電装置。
【請求項３】
前記第２の放電線の振幅は、前記第１の放電線の振幅よりも小さい請求項１又は２記載に帯電装置。
【請求項４】
前記第２の放電線は、前記第１の放電線よりも長い請求項１から３いずれか記載の帯電装置。
【請求項５】
前記第２の放電線の線密度は、前記第１の放電線の線密度よりも低い請求項１から５いずれか記載の帯電装置。
【請求項６】
帯電対象を放電により帯電する第１の放電線と、
帯電対象を放電により帯電する第２の放電線と、
前記第１の放電線の周波数と、前記第２の放電線の周波数とを検出する周波数検出手段と、
を有し、
前記第１の放電線及び前記第２の放電線うち前記周波数検出手段により検出された周波数が低い側への電圧の印加を開始した後に、前記第１の放電線及び前記第２の放電線うち前記周波数検出手段により検出された周波数が高い側への電圧の印加を開始する帯電装置。
【請求項７】
帯電対象を放電により帯電する第１の放電線と、
帯電対象を放電により帯電する第２の放電線と、
前記第１の放電線の振幅と、前記第２の放電線の振幅とを検出する振幅検出手段と、
を有し、
前記第１の放電線及び前記第２の放電線うち前記振幅検出手段により検出された振幅が大きい側への電圧の印加を開始した後に、前記第１の放電線及び前記第２の放電線のうち前記振幅検出手段により検出された振幅が小さい側への電圧の印加を開始する帯電装置。
【請求項８】
像を保持する像保持体と、
前記像保持体を帯電する帯電装置と、
を有し、
前記帯電装置は、
帯電対象を放電により帯電する第１の放電線と、
帯電対象を放電により帯電し、前記第１の放電線よりも周波数が高い第２の放電線と、
を有し、
前記第１の放電線への電圧の印加を開始した後に、前記第１の放電線への電圧の印加を開始する画像形成装置。
【請求項９】
像を保持する像保持体と、
前記像保持体を帯電する帯電装置と、
を有し、
前記帯電装置は、
帯電対象を放電により帯電する第１の放電線と、
帯電対象を放電により帯電する第２の放電線と、
前記第１の放電線の周波数と、前記第２の放電線の周波数とを検出する周波数検出手段と、
を有し、
前記第１の放電線及び前記第２の放電線うち前記周波数検出手段により検出された周波数が低い側への電圧の印加を開始した後に、前記第１の放電線及び前記第２の放電線うち前記周波数検出手段により検出された周波数が高い側への電圧の印加を開始する画像形成装置。
【請求項１０】
像を保持する像保持体と、
前記像保持体を帯電する帯電装置と、
を有し、
前記帯電装置は、
帯電対象を放電により帯電する第１の放電線と、
帯電対象を放電により帯電する第２の放電線と、
前記第１の放電線の振幅と、前記第２の放電線の振幅とを検出する振幅検出手段と、
を有し、
前記第１の放電線及び前記第２の放電線うち前記振幅検出手段により検出された振幅が大きい側への電圧の印加を開始した後に、前記第１の放電線及び前記第２の放電線のうち前記振幅検出手段により検出された振幅が小さい側への電圧の印加を開始する画像形成装置。
【発明の詳細な説明】
【技術分野】
【０００１】
本発明は、帯電装置及び画像形成装置に関する。
【背景技術】
【０００２】
特許文献１には、コロナ放電により対象物を帯電させる装置であって、２本の放電ワイヤと、各放電ワイヤの両端部をそれぞれの支持点で支持し、２本の放電ワイヤを並行に張架する支持部材と、各放電ワイヤに同時に給電する給電端子とを備え、一方の放電ワイヤの支持点間の間隔と他方の放電ワイヤの支持点間の間隔とが互いに異なることを特徴とするコロナ帯電装置が記載されている。
【０００３】
特許文献２には、回転駆動される感光体と、前記感光体と対向配置され、前記感光体をコロナワイヤによって帯電させるコロトロン帯電器と、前記感光体の回転方向に対して前記コロトロン帯電器より下流側に配置され、前記感光体に電荷を供給する放電電極、及び前記放電電極と前記感光体との間にあって前記感光体の電位を制御するグリッド電極を備えるスコロトロン帯電器と、前記コロナワイヤへの電流値を段階的に変化させると共に、前記電流値を変化させる中間段階で前記グリッド電極への電圧印加を開始させる制御部と、を有することを特徴とする画像形成装置が記載されている。
【先行技術文献】
【特許文献】
【０００４】
【特許文献１】特許第４８５７０８０号公報
【特許文献２】特開２００６−２５１４７３号公報
【発明の概要】
【発明が解決しようとする課題】
【０００５】
複数の放電線を用いて帯電対象を帯電する場合に、放電線への電圧の印加を開始に、複数の放電線の振動が安定しない時間が生じることがある。
【０００６】
本発明は、複数の放電線の周波数かかわらず、複数の放電線に対する電圧の印加を同時に開始する場合と比較して、電圧の印加を開始した後に、放電線の振動が安定するまでの時間を短縮することができる帯電装置を提供することを目的とする。
【課題を解決するための手段】
【０００７】
請求項１に係る本発明は、
帯電対象を放電により帯電する第１の放電線と、
帯電対象を放電により帯電し、前記第１の放電線よりも周波数が高い第２の放電線と、
を有し、
前記第１の放電線への電圧の印加を開始した後に、前記第２の放電線への電圧の印加を開始する帯電装置である。
【０００８】
請求項２に係る本発明は、前記第２の放電線に加えられる張力は、前記第１の放電線に加えられる張力よりも大きい請求項１記載の帯電装置である。
【０００９】
請求項３に係る本発明は、前記第２の放電線の振幅は、前記第１の放電線の振幅よりも小さい請求項１又は２記載に帯電装置である。
【００１０】
請求項４に係る本発明は、前記第２の放電線は、前記第１の放電線よりも長い請求項１から３いずれか記載の帯電装置である。
【００１１】
請求項５に係る本発明は、前記第２の放電線の線密度は、前記第１の放電線の線密度よりも低い請求項１から５いずれか記載の帯電装置である。
【００１２】
請求項６に係る本発明は、
帯電対象を放電により帯電する第１の放電線と、
帯電対象を放電により帯電する第２の放電線と、
前記第１の放電線の周波数と、前記第２の放電線の周波数とを検出する周波数検出手段と、
を有し、
前記第１の放電線及び前記第２の放電線うち前記周波数検出手段により検出された周波数が低い側への電圧の印加を開始した後に、前記第１の放電線及び前記第２の放電線うち前記周波数検出手段により検出された周波数が高い側への電圧の印加を開始する帯電装置である。
【００１３】
請求項７に係る本発明は、
帯電対象を放電により帯電する第１の放電線と、
帯電対象を放電により帯電する第２の放電線と、
前記第１の放電線の振幅と、前記第２の放電線の振幅とを検出する振幅検出手段と、
を有し、
前記第１の放電線及び前記第２の放電線うち前記振幅検出手段により検出された振幅が大きい側への電圧の印加を開始した後に、前記第１の放電線及び前記第２の放電線のうち前記振幅検出手段により検出された振幅が小さい側への電圧の印加を開始する帯電装置である。
【００１４】
請求項８に係る本発明は、
像を保持する像保持体と、
前記像保持体を帯電する帯電装置と、
を有し、
前記帯電装置は、
帯電対象を放電により帯電する第１の放電線と、
帯電対象を放電により帯電し、前記第１の放電線よりも周波数が高い第２の放電線と、
を有し、
前記第１の放電線への電圧の印加を開始した後に、前記第１の放電線への電圧の印加を開始する画像形成装置である。
【００１５】
請求項９に係る本発明は、
像を保持する像保持体と、
前記像保持体を帯電する帯電装置と、
を有し、
前記帯電装置は、
帯電対象を放電により帯電する第１の放電線と、
帯電対象を放電により帯電する第２の放電線と、
前記第１の放電線の周波数と、前記第２の放電線の周波数とを検出する周波数検出手段と、
を有し、
前記第１の放電線及び前記第２の放電線うち前記周波数検出手段により検出された周波数が低い側への電圧の印加を開始した後に、前記第１の放電線及び前記第２の放電線うち前記周波数検出手段により検出された周波数が高い側への電圧の印加を開始する画像形成装置である。
【００１６】
請求項１０に係る本発明は、
像を保持する像保持体と、
前記像保持体を帯電する帯電装置と、
を有し、
前記帯電装置は、
帯電対象を放電により帯電する第１の放電線と、
帯電対象を放電により帯電する第２の放電線と、
前記第１の放電線の振幅と、前記第２の放電線の振幅とを検出する振幅検出手段と、
を有し、
前記第１の放電線及び前記第２の放電線うち前記振幅検出手段により検出された振幅が大きい側への電圧の印加を開始した後に、前記第１の放電線及び前記第２の放電線のうち前記振幅検出手段により検出された振幅が小さい側への電圧の印加を開始する画像形成装置である。
【発明の効果】
【００１７】
請求項１に係る本発明によれば、複数の放電線の周波数かかわらず、複数の放電線に対する電圧の印加を同時に開始する場合と比較して、電圧の印加を開始した後に、放電線の振動が安定するまでの時間を短縮することができる。
【００１８】
請求項２に係る本発明によれば、複数の放電線の張力にかかわらす、複数の放電線に対する電圧の印加を同時に開始する場合と比較して、電圧の印加を開始した後に、放電線の振動が安定するまでの時間を短縮することができる。
【００１９】
請求項３に係る本発明によれば、複数の放電線の振幅にかかわらす、複数の放電線に対する電圧の印加を同時に開始する場合と比較して、電圧の印加を開始した後に、放電線の振動が安定するまでの時間を短縮することができる。
【００２０】
請求項４に係る本発明によれば、複数の放電線の長さにかかわらす、複数の放電線に対する電圧の印加を同時に開始する場合と比較して、電圧の印加を開始した後に、放電線の振動が安定するまでの時間を短縮することができる。
【００２１】
請求項５に係る本発明によれば、複数の放電線の線密度にかかわらす、複数の放電線に対する電圧の印加を同時に開始する場合と比較して、電圧の印加を開始した後に、放電線の振動が安定するまでの時間を短縮することができる。
【００２２】
請求項６に係る本発明によれば、複数の放電線の周波数の大小が不明な場合であっても、複数の放電線に電圧の印加を開始する順序を、放電線の振動が安定するまでの時間を短縮するように定めることができる。
【００２３】
請求項７に係る本発明によれば、複数の放電線の振幅の大小が不明な場合であっても、複数の放電線に電圧の印加を開始する順序を、放電線の振動が安定するまでの時間を短縮するように定めることができる。
【００２４】
請求項８に係る本発明によれば、複数の放電線の周波数かかわらず、複数の放電線に対する電圧の印加を同時に開始する場合と比較して、電圧の印加を開始した後に、放電線の振動が安定するまでの時間を短縮することができる。
【００２５】
請求項９に係る本発明によれば、複数の放電線の周波数の大小が不明な場合であっても、複数の放電線に電圧の印加を開始する順序を、放電線の振動が安定するまでの時間を短縮するように定めることができる。
【００２６】
請求項１０に係る本発明によれば、複数の放電線の振幅の大小が不明な場合であっても、複数の放電線に電圧の印加を開始する順序を、放電線の振動が安定するまでの時間を短縮するように定めることができる。
【図面の簡単な説明】
【００２７】
【図１】本発明の実施形態の画像形成装置の構成を示す図である。
【図２】図１に示す画像形成装置が有する画像形成部の概略構成を示す図である。
【図３】図１に示す画像形成装置が有する帯電装置を図２に示す矢印Ａ−Ａ方向から示す図である。
【図４】制御部による図３に示す帯電装置の制御を説明するフローチャートである。
【図５】図５（Ａ）は、実施形態において感光体ドラムに流れ込む電流を測定した結果を示すグラフであり、図５（Ｂ）は、比較例において感光体ドラムに流れ込む電流を測定した結果を示すグラフである。
【図６】いずれの放電線の周波数が高いかを判別する制御を説明するフローチャートである。
【発明を実施するための形態】
【００２８】
次に、本発明を実施するための形態を、図面を参照して説明する。図１には、本発明の実施形態で用いられる画像形成装置１０が示されている。画像形成装置１０は、画像形成装置本体１２を有し、画像形成装置本体１２内に、像形成部１００と、転写装置５００と、定着装置６００と、給紙装置７００とが配置されている。また、画像形成装置本体１２内には、例えば用紙等の記録媒体を搬送するための搬送路７５０が形成されている。
【００２９】
像形成部１００は、電子写真方式が採用されていて、記録媒体に画像を形成する。像形成部１００は、例えば４つ等、例えば複数の画像形成ユニット２００を有する。４つの画像形成ユニット２００は、例えば、イエロー、マゼンタ、シアン、黒等の互いに異なる色のトナー像を形成する。
【００３０】
画像形成ユニット２００は、感光体ドラム２０２を有する。感光体ドラム２０２は、像保持体の一例であり、帯電対象の一例であって、外周面２０２ａ（図２を参照）が回転するように移動し、記録媒体に転写されるトナー像を外周面２０２ａに保持する。
【００３１】
画像形成ユニット２００は、感光体ドラム２０２を帯電する帯電装置３００をさらに有する。また、画像形成ユニット２００においては、感光体ドラム２０２の外周面２０２ａに形成されたトナー像が、後述する中間転写ベルト５１０に一次転写される。尚、帯電装置３００と画像形成ユニット２００との詳細は後述する。
【００３２】
転写装置５００は中間転写ベルト５１０を有する。中間転写ベルト５１０には、感光体ドラム２０２からそれぞれにトナー像が一次転写され、一次転写されたトナー像が記録媒体に二次転写される。
【００３３】
中間転写ベルト５１０は、複数の支持部材によって回転することができるように支持されていて、複数の支持部材の１つである駆動ロール５１２が中間転写ベルト５１０に駆動を伝達する。
【００３４】
転写装置５００は、それぞれの感光体ドラム２０２から中間転写ベルト５１０へとトナー像を転写し、感光体ドラム２０２と同数の一次転写ロール５１４をさらに有し、中間転写ベルト５１０から記録媒体にトナー像を転写する二次転写ロール５１６をさらに有する。
【００３５】
定着装置６００は、記録媒体に転写されたトナー像を、例えば熱と圧力とを用いて記録媒体に定着する。
【００３６】
給紙装置７００は、積層された状態にある記録媒体を収納する収納部７０２と、収納部７０２に収納された記録媒体を搬送路７５０に向けて送り出す送出ロール７０４とを有する。
【００３７】
搬送路７５０は、給紙装置７００から二次転写位置Ｎへと記録媒体を搬送し、定着装置６００へとさらに記録媒体を搬送し、画像形成装置本体１２の外へと排出されるようにさらに記録媒体を搬送する。
【００３８】
以上のように構成された画像形成装置１０では、感光体ドラム２０２の外周面２０２ａにそれぞれに形成されたトナー像が中間転写ベルト５１０へと一次転写され、中間転写ベルト５１０に一次転写されたトナー像が記録媒体に二次転写され、記録媒体に二次転写されたトナー像が定着装置６００によって記録媒体に定着される。図１における矢印は、画像形成をする際におけるそれぞれの感光体ドラム２０２と、中間転写ベルト５１０との回転方向を示している。
【００３９】
図２には、画像形成ユニット２００の構成と、画像形成ユニット２００近傍の構成とが示されている。画像形成ユニット２００は、先述のように感光体ドラム２０２と、帯電装置３００とを有し、さらには、帯電された感光体ドラム２０２の表面に潜像を形成する潜像形成装置２０６（図１を参照）と、感光体ドラム２０２に形成された潜像を現像してトナー像とする現像装置２０８と、一次転写ロール５１４によって中間転写ベルト５１０へとトナー像が転写された後に感光体ドラム２０２の外周面２０２ａに残留しているトナーを清掃する清掃装置２１２とを有する。
【００４０】
帯電装置３００は、コロナ放電方式の帯電装置であって、第１放電線３１０と、第２放電線３１２とを有する。第１放電線３１０は、第１の放電線の一例であって、感光体ドラム２０２を放電により帯電する。第２放電線３１２は、第２の放電線の一例であって、第１放電線３１０よりも周波数が高く、感光体ドラム２０２を放電により帯電する。この実施例では、第２放電線３１２は、感光体ドラム２０２の外周面２０２ａの移動方向において第１放電線３１０よりも上流側に配置さているものの、第２放電線３１２が、外周面２０２ａの移動方向において第１放電線３１０よりも下流側に配置さていてもよい。
【００４１】
帯電装置３００は、シールド板３２０をさらに有する。シールド板３２０は、シールド部の一例であり、金属製であって、第１放電線３１０と第２放電線３１２とを囲むように配置されている。また、シールド板３２０には、感光体ドラム２０２側に向けて開口が形成されている。
【００４２】
帯電装置３００は、グリッド電極３３０をさらに有する。グリッド電極３３０は、感光体ドラム２０２の外周面２０２ａと、第１放電線３１０及び第２放電線３１２との間に配置されていて、例えばシールド板３２０の開口部側に装着されていて、複数の開口が形成されている。
【００４３】
帯電装置３００は、第１電源部３４０をさらに有する。第１放電線３１０用の電源であり、第１放電線３１０に接続されている。帯電装置３００は、第２電源部３４２をさらに有する。第２電源部３４２は、第２放電線３１２用の電源であり、第２放電線３１２に接続されている。帯電装置３００は、第３電源部３４４をさらに有する。第３電源部３４４は、シールド板３２０及びグリッド電極３３０用の電源であって、シールド板３２０及びグリッド電極３３０に接続されている。
【００４４】
帯電装置３００は、電流計３４６をさらに有する。電流計３４６は、第３電源部３４４とシールド板３２０及びグリッド電極３３０との間の電流を測定する。帯電装置３００は、制御部３７０をさらに有する。制御部３７０は、第１電源部３４０、第２電源部３４２及び第３電源部３４４を制御する。また、制御部３７０には、電流計３４６の出力が入力される。
【００４５】
図３は、帯電装置３００を、図２における矢印Ａ−Ａ方向から一部を破断させて示す図である。図３に示すように、帯電装置３００は、支持部３８０を有する。支持部３８０は、帯電装置３００の長手方向における一端側に配置されていて、支持点３８０ａで第１放電線３１０に接触し、第１放電線３１０を支持している。また、支持部３８０は、支持点３８０ｂで第２放電線３１２に接触し、第２放電線３１２を支持している。
【００４６】
また、第１放電線３１０の一端部と、第２放電線３１２の一端部とは、例えばネジを用いて固定されている。
【００４７】
帯電装置３００は、支持部３８２をさらに有する。支持部３８２は、帯電装置３００の長手方向における他端部側に配置されていて、支持点３８２ａで第１放電線３１０に接触し、支持点３８２ａで第１放電線３１０を支持している。また、支持部３８２は、支持点３８２ｂで第２放電線３１２に接触し、支持点３８２ｂで第２放電線３１２を支持している。
【００４８】
以下の説明において、第１放電線３１０が張り渡される長さ、すなわち支持点３８０ａから支持点３８２ａまでの長さを張渡長Ｌ１とする。また、以下の説明において、第１放電線３１２が張り渡される長さ、すなわち支持点３８０ｂから支持点３８２ｂまでの長さを張渡長Ｌ２とする。図３に示すように、この実施形態においては、張渡長Ｌ１と張渡長Ｌ２とは、同じ長さとなっている。
【００４９】
また、第１放電線３１０と、第２放電線３１２とは、材質と、太さと、線密度が同等である。
【００５０】
帯電装置３００は、第１コイルスプリング３９０をさらに有する。第１コイルスプリング３９０は、第１放電線３１２に張力を発生させる第１張力発生部の一例であって、一端部が第１放電線３１０に連結されていて、他端部が被固定部３８４に固定されている。帯電装置３００は、第２コイルスプリング３９２をさらに有する。第２コイルスプリング３９２は、第２放電線３１２に張力を発生させる第２張力発生部の一例であって、一端部が第２放電線３１２に連結されていて、他端部が被固定部３８４に固定されている。
【００５１】
ここで、第１コイルスプリング３９０と第２コイルスプリング３９２とを比較すると、第１コイルスプリング３９０のバネ定数が第２コイルスプリング３９２のバネ定数よりも大きい。このため、コイルスプリング３９０により第１放電線３１０に付与される張力が、第２コイルスプリング３９２により第２放電線３１２に付与される張力よりも大きくなっている。
【００５２】
第１放電線３１０と第２放電線３１２とを比較すると、上述のように材質が同じであり、太さが同じであり、線密度が同じであり、張渡長が同じであって、第２放電線３１２に加えられる張力が、第１放電線３１０に加えられる張力よりも大きい。このため、第２放電線３１２の周波数は、第１放電線３１０の周波数よりも大きくなる。
【００５３】
図４は、制御部３７０による帯電装置３００の制御を説明するフローチャートである。図４に示すように、最初のステップであるステップＳ１０において、制御部３７０は、第３電源部３４４を制御して、第３電源部３４４にシールド板３２０とグリッド電極３３０とに電圧を印加させる。
【００５４】
次のステップＳ１２で予め定められた時間が経過したことを確認した後に、次のステップＳ１４で、制御部３７０は、第１電源部３４０を制御して、第１電源部３４０に第１放電線３１０への電圧の印加を開始させ、第１放電線３１０に予め定められた電流の供給を開始させる（定電流制御）。ここで、第１放電線３１０に供給される電流は、例えば８００〔μＡ〕である。
【００５５】
次のステップＳ１６で所定時間が経過をしたことを確認した後に、ステップＳ１８で、制御部３７０は第２電源部３４２を制御して、第２電源部３４２に第２放電線３１２への電圧の印加を開始させ、第２放電線３１２に予め定められた電流の供給を開始させる（定電流制御）。ここで、第２放電線３１２に供給される電流は、例えば、第１放電線３１０に供給される電流と同じ値であり、例えば８００〔μＡ〕である。
【００５６】
また、ステップＳ１６おける予め定められた時間、すなわち、第１放電線３１０への電圧の印加が開始された後に、第２の放電線３１２への電圧の印加が開始されるまでの時間は、例えば、０．５〔秒〕以上、１０〔秒〕以下である。
【００５７】
像形成部１００による像形成が終了した後に、ステップＳ２０で、制御部３７０は、第１電源部３４０と、第２電源部３４２と、第３電源部３４４とを停止させて、一連の制御を終了させる。
【００５８】
以上で説明をしたように、この実施形態においては、第１放電線３１０への電圧の印加が開始された後に、第２放電線３１２への電圧の印加が開始される。このため、第１放電線３１０と第２放電線３１２とに同時に電圧の印加を開始した場合と比較して、一方の放電線の振動が他方の放電線の振動に与える影響が低減され、第１放電線３１０と第２放電線３１２とが共鳴しにくくなり、それぞれの放電線の振動が安定するまでの時間が短縮される。
【００５９】
図５（Ａ）は、以上で説明した画像形成装置１０で、感光体ドラム２０２に流れ込む電流を測定した結果を示すグラフであり、第１放電線３１０への電圧の印加を開始した後に、第２の放電線３１２に電圧の印加をした場合に、感光体ドラム２０２に流れ込む電流を測定した結果を示すグラフである。ここで、感光体ドラム２０２に流れ込む電流は、第１電源部３４０が第１放電線３１０に供給する電流に、第２電源部３４２が第２放電線３１２に供給する電流を加え、電流計３４６で測定されるシールド板３２０及びグリッド電極３３０から流れ出す電流を差し引くことで算出される。
【００６０】
図５（Ａ）に示すように、時間ｔ１において第１放電線３１０への電流の供給を開始した後に、時間ｔ２において第２放電線３１２への電流の供給を開始させると、時間ｔ２の後、感光体ドラム２０２に流れ込む電流が不安定となるものの、時間ｔ３において、感光体ドラム２０２に流れ込む電流が安定する。
【００６１】
図５（Ｂ）は、比較例において、感光体ドラム２０２に流れ込む電流を測定したグラフである、第２放電線３１０への電圧印加を開始した後に、第１放電線３１２への電圧の印加をした場合に、感光体ドラム２０２に流れ込む電流を測定した結果を示すグラフである。
【００６２】
図５（Ｂ）に示すように、時間ｔ１において第２放電線３１２への電流の供給を開始した後、時間ｔ２において第１放電線３１０への電流の供給を開始させると、時間ｔ２の後、感光体ドラム２０２に流れ込む電流が不安定となるものの、時間ｔ４において、感光体ドラム２０２に流れ込む電流が安定する。
【００６３】
ここで、時間ｔ３と時間ｔ４とを比較すると、時間ｔ３の方が時間ｔ４よりも短い。すなわち、周波数が高い第２放電線３１２に電圧の印加を開始した後に、周波数が低い第１放電線３１０への電圧の印加を開始するとよりも、周波数が低い第１の放電線３１０への電圧の印加を開始した後に、周波数が高い第２放電線３１２への電圧の印加を開始した方が、感光体ドラム２０２に流れ込む電流が安定するまでの時間が短い。
【００６４】
この理由は、周波数が高く、例えば振幅が小さい第２放電線３１２の振動は、周波数が低く、例えば振幅の大きい第１放電線３１０の振動の影響を受けやすいため、先に第１放電線３１０への電圧の印加を開始して、第１の放電線３１０振動が安定した状態となった後に、第２放電線３１２への電圧の印加を開始すれることで、第２放電線３１２が第１放電線３１０から受ける影響を少なくすることができるためであると推測される。
【００６５】
以上で説明をした画像形成装置１０においては、帯電装置３００は、第１放電線３１０の周波数よりも第２放電線３１２の周波数を高くするように、第１放電線３１０に加えられる張力よりも、第２放電線３１２に加えられる張力を大きくしていた。これに替え、又はこれに合わせて、第１放電線３１０の周波数よりも第２放電線３１２の周波数を高くするように、張渡長Ｌ２を張渡長Ｌ１よりも短くしてもよい。また、張力や、張渡長で周波数を調整することに替え、又はこれらに合わせて、第１放電線３１０の周波数よりも第２放電線３１２の周波数を高くするように、第１放電線３１０の線密度よりも第２放電線３１２の円密度を小さくしてもよい。
【００６６】
以上で説明をした画像形成装置１０においては、２つの放電線である第１放電線３１０と第２放電線３１２とで、どちらの放電線の周波数が高いが予め記憶されていて、周波数が低い放電線である第１放電線３１０へ電圧の印加を開始した後に、周波数が高い放電線である第２放電線３１２への電圧の印加を開始するように制御されたものの、第１放電線３１０と第２放電線３１２とで、どちらの周波数が高いかを帯電装置３００自身が判別するようにしてもよい。
【００６７】
図６は、第１放電線３１０と第２放電線３１２とのいずれの周波数が高いかを、制御部３７０が判別する処理を説明するフローチャートである。図６に示すように、最初のステップであるステップＳ３０では、制御部３７０は、第３電源部３４４を制御して、第３電源部３４４にシールド板３２０とグリッド電極３３０とに電圧を印加させ、さらには、第１電源部３４０を制御して、第１電源部３４０に第１放電線３１０へと予め定められた一定の電流を供給させる。そして、この状態において電流計３４６を用いて測定された感光体ドラム２０２へ流れ込む電流の波形（図５を参照）から、第１放電線３１０の周波数を特定する。
【００６８】
次のステップであるステップＳ３２では、制御部３７０は、第３電源部３４４を制御して、第３電源部３４４にシールド板３２０とグリッド電極３３０とに電圧を印加させ、さらには、第２電源部３４２を制御して、第２電源部３４０に第２放電線３１２へと予め定められた一定の電流を供給させる。そして、この状態において電流計３４６を用いて測定された感光体ドラム２０２へ流れ込む電流の波形（図５を参照）から、第２放電線３１２の周波数を特定する。
【００６９】
そして、最後のステップであるステップＳ３４で、制御部３７０は、ステップＳ３０で特定した第１放電線３１０の周波数と、ステップＳ３２で特定した第２放電線３１２の周波数とを比較して、第１の放電線と第２の放電線とのいずれの周波数が高いかを判別する。
【００７０】
そして、制御部３７０は、周波数が低いと判別された放電線に電圧を印加した後に、周波数が高いと判別された放電線に電圧を印加するように制御する（図４を参照）。
【００７１】
以上で説明をしたように、第１放電線３１０と第２放電線３１２とのいずれの周波数が高いかを、制御部３７０が判別するようにすることに替えて、第１放電線３１０と第２放電線３１２とのいずれの振幅が高いかを、電流計３４６の出力の波形から制御部３７０が判別するようにしてもよい。この場合、制御部３７０は、振幅が大きいと判別された放電線に圧を印加した後に、振幅が小さいと判別された放電線に電圧を印加するように制御する。
【符号の説明】
【００７２】
１０・・・画像形成装置
１００・・・像形成部
２０２・・・感光体ドラム
３００・・・帯電装置
３１０・・・第１放電線
３１２・・・第２放電線
３２０・・・シールド板
３３０・・・グリッド電極
３４０・・・第１電源部
３４２・・・第２電源部
３４４・・・第３電源部
３４６・・・電流計
３７０・・・制御部
３９０、３９２   コイルスプリング
Ｌ１、Ｌ２・・・ 張渡長
【図１】
2020060720.tif 000003
【図２】
2020060720.tif 000004
【図３】
2020060720.tif 000005
【図４】
2020060720.tif 000006
【図５】
2020060720.tif 000007
【図６】
2020060720.tif 000008